(57)【特許請求の範囲】
【請求項１】
縫針の移動経路にほぼ垂直な仮想一平面と平行に上面および下面が配置される板状の長手部材の一端部に先細状の先端部分が形成され、該先端部分よりも縫製物の送り方向上流側に近接する箇所にルーパ糸を捕捉するルーパ糸捕捉部および針糸を捕捉する針糸捕捉部が形成され、そのルーパ糸捕捉部および針糸捕捉部が針板とルーパとの間に進入した前進位置と、この前進位置から退避した後退位置との間にわたって往復移動する可動メスであって、当該可動メスが前記後退位置から前記前進位置へ移動するとき、針板の針落ち部からルーパにわたって張架されるルーパ糸および針糸の各張架部分を、前記先端部分から縫製物の送り方向下流側に連なって湾曲して形成されている案内面によって前記ルーパ糸捕捉部および針糸捕捉部に案内するように構成されている可動メスと、
前記可動メスの針糸捕捉部およびルーパ糸捕捉部に捕捉された針糸およびルーパ糸を、前記可動メスの前進位置から後退位置への移動によって、縫製時の張架位置から退避させて前記可動メスと協働して切断する固定メスとを含むミシンの糸切り装置において、
前記可動メスの前記先端部分の先端部に、ルーパ糸の張架部分を前記案内面に案内する糸分け案内部が形成され、
前記糸分け案内部は、可動メスの軸線を含みかつ可動メスの上面または下面に垂直な仮想一平面に関して前記針糸捕捉部およびルーパ糸捕捉部が形成される側とは反対側に予め定める距離だけ偏心した位置において前記軸線に沿って延びるように、前記後退位置から前進位置に向かう前進方向下流側に突出して形成されていることを特徴とするミシンの糸切り装置。
【発明の詳細な説明】
【技術分野】
【０００１】
本発明は、針板とルーパとにわたって張架される針糸およびルーパ糸を捕捉して切断するミシンの糸切り装置に関し、さらに詳しくは、糸切り装置に備えられる可動メスの構造に関する。
【背景技術】
【０００２】
図１３は従来技術のミシンの糸切り装置１を示す一部の斜視図である。従来のミシンの糸切り装置１は、たとえば特許文献１に記載されている。この先行技術では、被縫製物に形成された縫目の終端に連なるルーパ糸Ｔ１と針糸Ｔ２，Ｔ３とは、針板の針落ち孔からルーパ２にわたって張架され、一連の縫目が形成されると、可動メス３が矢符Ａ１方向に前進して、前記針落ち孔からルーパ２にわたって張架されるルーパ糸Ｔ１の張架部分Ｔ１ａおよび各針糸Ｔ２，Ｔ３の張架部分Ｔ２ａ，Ｔ２ｂ；Ｔ３ａ，Ｔ３ｂを捕捉した後、矢符Ａ２方向に後退して、この後退した退避位置に設けられる固定メス４の刃先部４ａまで引き寄せ、固定メス４の刃先部４ａに形成された切断刃４ｂと協働して、各針糸Ｔ１，Ｔ２，Ｔ３の各張架部分Ｔ１ａ；Ｔ２ａ，Ｔ２ｂ；Ｔ３ａ，Ｔ３ｂを切断するように構成されている。
【０００３】
前記可動メス３は、上下に往復動される縫針５，６の移動経路にほぼ垂直な仮想一平面と平行に上面および下面が配置される板状の長手部材であって、前記上面は針板に臨み、前記下面はルーパ２に臨んで配置される。この可動メス３の前進方向Ａ１下流側の一端部には、前記前進方向Ａ１下流側に向かって先細状の先端部分７が形成され、この先端部分７よりも縫製物の送り方向Ｂ上流側に近接して、ルーパ糸係合凹部８および針糸係合凹部９が形成される。
【０００４】
前記可動メス３の先端部分７は、縫製動作が停止した後、可動メス３が前進すると、最も退避位置側に配置される一方の針糸Ｔ３の各張架部分Ｔ３ａ，Ｔ３ｂ間に進入し、さらにルーパ糸Ｔ１の張架部分Ｔ１ａよりも縫製物の送り方向Ｂ上流側、すなわち図１３の紙面に垂直手前側を通過して、ルーパ糸Ｔ１の張架部分Ｔ１ａを、前記先端部分７から前記縫製物の送り方向Ｂ下流側に連なる案内面１０によって前記ルーパ糸係合凹部８に案内して捕捉するとともに、各針糸Ｔ２，Ｔ３の張架部分Ｔ２ａ，Ｔ３ａを、前記案内面１０によって前記針糸係合凹部９に案内して捕捉し、前述したように可動メス３の矢符Ａ２方向への退避動作によって、被縫製物に連なるすべての糸Ｔ１，Ｔ２，Ｔ３の各張架部分Ｔ１ａ，Ｔ２ａ，Ｔ２ｂ；Ｔ３ａ，Ｔ３ｂを退避位置まで引き込み、固定メス４と協働して切断する。
【０００５】
【特許文献１】実公昭６３−１０１４９号公報
【発明の開示】
【発明が解決しようとする課題】
【０００６】
前記従来の技術では、前述のように可動メス３が矢符Ａ１方向に前進してルーパ糸Ｔ１の張架部分Ｔ１ａを捕捉した後、矢符Ａ２方向に後退して前記ルーパ糸Ｔ１の張架部分Ｔ１ａを各針糸Ｔ２，Ｔ３の各張架部分Ｔ２ａ，Ｔ２ｂ；Ｔ３ａ，Ｔ３ｂとともに切断するとき、前記ルーパ糸Ｔ１の張架部分Ｔ１ａは、ルーパ３に略Ｕ字状に巻き掛けられた一方の針糸Ｔ２の各張架部分Ｔ２ａ，Ｔ２ｂ間およびＴ３ａ，Ｔ３ｂ間をほぼ確実に通過することができるが、ルーパ糸Ｔ１の張架部分Ｔ１ａが、可動メス３が矢符Ａ１方向への前進時に振動およびその他の要因で、先端部分７の移動経路よりも被縫製物の送り方向Ｂ上流側に移動した状態のときには、ルーパ糸Ｔ１をルーパ糸係合凹部８内に案内して捕捉することができない事態が生じ、したがってルーパ糸Ｔ１を切断することができないという問題がある。
【０００７】
本発明の目的は、ルーパ糸を確実に切断することができるミシンの糸切り装置を提供することである。
【課題を解決するための手段】
【０００８】
本発明は、縫針の移動経路にほぼ垂直な仮想一平面と平行に上面および下面が配置される板状の長手部材の一端部に先細状の先端部分が形成され、該先端部分よりも縫製物の送り方向上流側に近接する箇所にルーパ糸を捕捉するルーパ糸捕捉部および針糸を捕捉する針糸捕捉部が形成され、そのルーパ糸捕捉部および針糸捕捉部が針板とルーパとの間に進入した前進位置と、この前進位置から退避した後退位置との間にわたって往復移動する可動メスであって、当該可動メスが前記後退位置から前記前進位置へ移動するとき、針板の針落ち部からルーパにわたって張架されるルーパ糸および針糸の各張架部分を、前記先端部分から縫製物の送り方向下流側に連なって湾曲して形成されている案内面によって前記ルーパ糸捕捉部および針糸捕捉部に案内するように構成されている可動メスと、
前記可動メスの針糸捕捉部およびルーパ糸捕捉部に捕捉された針糸およびルーパ糸を、前記可動メスの前進位置から後退位置への移動によって、縫製時の張架位置から退避させて前記可動メスと協働して切断する固定メスとを含むミシンの糸切り装置において、
前記可動メスの前記先端部分の先端部に、ルーパ糸の張架部分を前記案内面に案内する糸分け案内部が形成され、
前記糸分け案内部は、可動メスの軸線を含みかつ可動メスの上面または下面に垂直な仮想一平面に関して前記針糸捕捉部およびルーパ糸捕捉部が形成される側とは反対側に予め定める距離だけ偏心した位置において前記軸線に沿って延びるように、前記後退位置から前進位置に向かう前進方向下流側に突出して形成されていることを特徴とするミシンの糸切り装置である。
【０００９】
本発明に従えば、可動メスの糸捕捉部よりも先端側に形成された糸分け案内部によって、可動メスが前進方向に移動したとき、ルーパ糸の針板とルーパとの間に張架される張架部分を糸捕捉部側に案内し、確実に糸捕捉部によってルーパ糸を捕捉し、可動メスが後退位置へ変位することによって、捕捉したルーパ糸の張架部分を固定メスと協働して確実に切断することができる。
【００１１】
また、前記糸分け案内部が可動メスの先端部に、後退位置から前進位置に向かう前進方向下流側に突出して形成されるので、ルーパ糸の張架部分がルーパの振動およびその他の要因によって、可動メスの先端よりも前記軸線を含む仮想一平面に関して前記糸捕捉部とは反対側に移動しても、その張架部分を前記仮想一平面に関して糸捕捉部側へ案内し、確実にルーパ糸を捕捉して切断することができる。
【発明の効果】
【００１６】
本発明によれば、糸分け案内部が可動メスの先端部に、後退位置から前進位置に向かう前進方向下流側に突出して形成されるので、ルーパ糸の張架部分がルーパの振動およびその他の要因によって、可動メスの先端よりも前記軸線を含む仮想一平面に関して前記糸捕捉部とは反対側に移動することを防止して、その張架部分を前記仮想一平面に関して糸捕捉部側へ案内し、確実にルーパ糸を捕捉して切断することができる。
【００１７】
また、糸分け案内部が前進方向下流側に突出して形成されるので、ルーパ糸の張架部分がルーパの振動およびその他の要因によって、可動メスの先端よりも前記軸線を含む仮想一平面に関して前記糸捕捉部とは反対側に移動することを防止して、その張架部分を前記仮想一平面に関して糸捕捉部側へ案内し、確実にルーパ糸を捕捉して切断することができる。
【発明を実施するための最良の形態】
【００２０】
図１は本発明の実施の一形態のミシンの糸切り装置２０を示す一部の斜視図である。本実施形態のミシンの糸切り装置２０は、二重環縫いミシンまたは偏平縫いミシンのミシンベッド下に設けられ、縫製動作停止時にルーパ糸Ｔ１および各針糸Ｔ２，Ｔ３の針板２１の針落ち孔２２，２３とルーパ２８との間にわたる各張架部分Ｔ１ａ；Ｔ２ａ，Ｔ２ｂ；Ｔ３ａ，Ｔ３ｂのうち、被縫製物に連なる各張架部分Ｔ１ａをルーパ糸捕捉部２６で、Ｔ２ａ，Ｔ３ａを針糸捕捉部２７で、それぞれ捕捉して針落ち位置から退避した退避位置で切断することができるように構成される。
【００２１】
前記糸切り装置２０は、先端部２５にルーパ糸Ｔ１および各針糸Ｔ２，Ｔ３を捕捉するルーパ糸捕捉部２６および針糸捕捉部２７を有し、これらの糸捕捉部２６，２７が針板２１とルーパ２８との間に進入した前進位置と、この前進位置から退避した後退位置との間にわたって矢符Ａ１，Ａ２方向に往復移動する可動メス３０と、可動メス３０の糸捕捉部２６，２７に捕捉されたルーパ糸Ｔ１および各針糸Ｔ２，Ｔ３を、前記可動メス３０の前進位置から後退位置への矢符Ａ２方向の移動によって、縫製時の張架位置から退避させて、前記可動メス３０と協働して切断する固定メス３１とを含む。
【００２２】
このような糸切り装置２０に具備される前記可動メス３０には、前記ルーパ糸捕捉部２６よりも先端側、すなわち矢符Ａ１方向下流側（図１の左方）の領域に、ルーパ糸Ｔ１を前記ルーパ糸捕捉部２６に案内する糸分け案内部３２が形成される。
【００２３】
図２は可動メス３０の先端部３４付近を示す拡大平面図であり、図３は可動メス３０の全体を示す平面図である。前記糸分け案内部３２は、可動メス３０の先端部３４に、可動メス３０の中心軸線Ｌ１を含みかつ可動メス３０の上面または下面に垂直（すなわち、図２の紙面に垂直）な仮想一平面に関して、前記ルーパ糸捕捉部２６が形成される側とは反対側（すなわち、図２の下側）に距離ΔＬだけ偏心した位置で、後退位置から前進位置に向かう前進方向Ａ１下流側に突出して形成される。
【００２４】
可動メス３０上には、ミシンの機体に固定された前記固定メス３１が積層され、この固定メス３１から後退方向Ａ２に突出する基端部３５には、図示しない駆動レバーが連結され、この駆動レバーによって可動メス３０が前進方向Ａ１および後退方向Ａ２に変位駆動される。可動メス３０の下面には、糸押えばね３６の遊端部が弾発的に当接し、糸押えばね３６の基端部は図示しない固定メス取付台に固定される。このような糸押えばね３６によって、前記可動メス３０および固定メス３１によって切断されたルーパ糸Ｔ１の次の縫目の始端部分が保持される。
【００２５】
図４は可動メス３０の先端部３４付近の拡大斜視図であり、図５はルーパ糸Ｔ１が糸分け案内部３２によってルーパ糸捕捉部２６側に案内途中の状態を示す背面図である。前述したように、可動メス３０のルーパ糸捕捉部２６よりも先端側に糸分け案内部３２が形成されるので、この糸分け案内部３２によって、可動メス３０が前進方向Ａ１に移動したとき、ルーパ糸Ｔ１の針板２１とルーパ２８との間に張架される張架部分Ｔ１ａを、ルーパ糸捕捉部２６側に案内し、確実にルーパ糸捕捉部２６によってルーパ糸Ｔ１を捕捉することができる。したがって可動メス３０が矢符Ａ２方向へ移動して後退位置へ変位すると、ルーパ糸捕捉部２６に捕捉したルーパ糸Ｔ１の張架部分Ｔ１ａを、固定メス３１と協働して確実に切断することができる。
【００２６】
図６〜図８は糸切り装置２０の動作を説明するための図であり、図６（１）はルーパ２８が前進位置へ移動して針糸Ｔ２，Ｔ３を捕捉した状態を示し、図６（２）は可動メス３０が前進位置へ移動してルーパ糸Ｔ１をルーパ糸捕捉部２６側へ案内した直後の状態を示す。また図７（１）は前進位置へ移動した可動メス３０のルーパ糸捕捉部２６によってルーパ糸Ｔ１が捕捉された状態を示し、図７（２）は可動メス３０が後退方向Ａ２へ移動してルーパ糸Ｔ１を各針糸Ｔ２，Ｔ３とともに退避位置へ引き込んだ切断直前の状態を示す。さらに図８（１）はルーパ糸Ｔ１および各針糸Ｔ２，Ｔ３が切断された状態を示し、図８（２）は切断後の各針糸Ｔ２，Ｔ３のＴ２ｂ，Ｔ３ｂが被縫製物上に引き上げられた状態を示す。
【００２７】
一連の縫目が形成されると、ルーパ２８の矢符Ａ１，Ａ２方向に沿う往復前後動作が停止され、図６（１）に示すように、可動メス３０は固定メス３１下に重なった退避位置から前進方向Ａ１に移動し、ルーパ２８によって捕捉された各針糸Ｔ２，Ｔ３の略Ｕ字状の各張架部分Ｔ２ａ，Ｔ２ｂ間および各張架部分Ｔ３ａ，Ｔ３ｂ間を通過して、図６（２）に示すように、ルーパ糸Ｔ１の張架部分Ｔ１ａが可動メス３０の中心軸線Ｌ１よりも前記送り方向Ｂ上流側に多少（図６（２）の手前側）に変位しても、その張架部分Ｔ１ａよりも糸分け案内部３２が前記送り方向Ｂ上流側へ回り込んで、確実にルーパ糸捕捉部２６側に案内され、図７（１）に示すように、張架部分Ｔ１ａがルーパ糸捕捉部２６に嵌り込んで確実に捕捉される。
【００２８】
こうして捕捉されたルーパ糸Ｔ１の張架部分Ｔ１ａは、図７（２）に示すように、可動メス３０が後退方向Ａ２へ移動することによって各針糸Ｔ２，Ｔ３とともに退避位置側へ引き込まれ、図８（１）に示すように、各針糸Ｔ２，Ｔ３が切断された後、ルーパ糸Ｔ１が切断され、このルーパ糸Ｔ１の次の縫目の開始部分が前記糸押えばね３６によって可動メス３０の下面に弾発的に押さえられて保持され、図８（２）に示すように、各針糸Ｔ２ｂ，Ｔ３ｂが被縫製物上へ引き上げられる。
【００２９】
このように前記糸分け案内部３２が可動メス３０の先端部に前進方向Ａ１下流側に突出して形成されるので、確実にルーパ糸Ｔ１を捕捉して切断することができる。
【００３０】
図９は本発明に関連する発明の実施の形態の糸切り装置に用いられる可動メス３０ａの一部を示す斜視図であり、図１０は糸分け案内部３２によってルーパ糸Ｔ１がルーパ糸捕捉部２６側に案内された状態を説明するための背面図である。なお、前述の実施の形態と対応する部分には、同一の参照符を付す。本実施の形態の糸切り装置は、前記糸分け案内部３２が、可動メス３０ａの先端部に、可動メス３０ａの軸線Ｌ１を含む仮想一平面に関して前記ルーパ糸捕捉部２６が形成される側で、可動メス３０ａの前記針板２１に臨む上面よりも凹んで形成される。
【００３１】
このように、糸分け案内部３２が前記仮想一平面に関してルーパ糸捕捉部２６が形成される側で、可動メス３０ａの上面よりも凹んで形成されるので、ルーパ糸Ｔ１の張架部分Ｔ１ａがルーパの振動およびその他の要因によって、可動メスの先端よりも前記軸線を含む仮想一平面に関して前記糸捕捉部とは反対側に移動することを防止して、その張架部分Ｔ１ａを前記仮想一平面に関して糸捕捉部２６側へ案内し、確実にルーパ糸を捕捉して切断することができる。
【００３２】
図１１は本発明に関連する発明の実施の形態の糸切り装置に用いられる可動メス３０ｂの一部を示す斜視図であり、図１２は可動メス３０ｂの糸分け案内部３２にルーパ糸Ｔ１が案内される動作を説明するための背面図である。なお、前述の実施の形態と対応する部分には、同一の参照符を付す。本実施の形態の糸切り装置は、糸分け案内部３２が、可動メス３０ｂの先端部に、可動メス３０ｂの軸線を含む仮想一平面に関してルーパ糸捕捉部２６が形成される側とは反対側で、可動メス３０ｂの針板２１に臨む上面から隆起して形成される。
【００３３】
このように、糸分け案内部が仮想一平面に関してルーパ糸捕捉部が形成される側とは反対側で、上面から隆起して形成されるので、ルーパＴ１の張架部分Ｔ１ａがルーパの振動およびその他の要因によって、可動メスの先端よりも前記軸線を含む仮想一平面に関して前記糸捕捉部とは反対側に移動することを防止して、その張架部分Ｔ１ａを前記仮想一平面に関して糸捕捉部２６側へ案内し、確実にルーパ糸を捕捉して切断することができる。
【００３４】
本発明の実施のさらに他の形態では、可動メスの先端部に、図１〜図８に示す前進方向Ａ１に突出した第１の糸分け案内部３２と、図９および図１０に示す上面よりも凹んだ第２の糸分け案内部３２との双方が形成されてもよく、また図１〜図８に示す前進方向Ａ１に突出した第１の糸分け案内部３２と、図１１および図１２に示す上面から隆起した第３の糸分け案内部３２との双方が形成されてもよく、さらに図９および図１０に示す上面よりも凹んだ第２の糸分け案内部３２と、図１１および図１２に示す上面から隆起した第３の糸分け案内部３２との双方が形成されてもよく、さらには図１〜図８に示す前進方向Ａ１に突出した第１の糸分け案内部３２と、図９および図１０に示す上面よりも凹んだ第２の糸分け案内部３２と、図１１および図１２に示す上面から隆起した第３の糸分け案内部３２とのすべてが形成されてもよい。これらの第１〜第３の糸分け案内部を適宜組み合わせて可動メスの先端部に形成することによって、ルーパ糸の捕捉ミスをより確実に防止することができる。
【図面の簡単な説明】
【００３５】
【図１】本発明の実施の一形態のミシンの糸切り装置２０を示す一部の斜視図である。
【図２】可動メス３０の先端部３４付近を示す拡大平面図である。
【図３】可動メス３０の全体を示す平面図である。
【図４】可動メス３０の先端部３４付近の拡大斜視図である。
【図５】ルーパ糸Ｔ１が糸分け案内部３２によってルーパ糸捕捉部２６側に案内途中の状態を示す背面図である。
【図６】糸切り装置２０の動作を説明するための図であり、図６（１）はルーパ２８が前進位置へ移動して針糸Ｔ１，Ｔ２を捕捉した状態を示し、図６（２）は可動メス３０が前進位置へ移動してルーパ糸Ｔ１をルーパ糸捕捉部２６側へ案内した直後の状態を示す。
【図７】糸切り装置２０の動作を説明するための図であり、図７（１）は前進位置へ移動した可動メス３０のルーパ糸捕捉部２６によってルーパ糸Ｔ１が捕捉された状態を示し、図７（２）は可動メス３０が後退方向Ａ２へ移動してルーパ糸Ｔ１を各針糸Ｔ２，Ｔ３とともに退避位置へ引き込んだ切断直前の状態を示す。
【図８】糸切り装置２０の動作を説明するための図であり、図８（１）はルーパ糸Ｔ１および各針糸Ｔ２，Ｔ３が切断された状態を示し、図８（２）は切断後の各針糸Ｔ２，Ｔ３が被縫製物上に引き上げられた状態を示す。
【図９】本発明に関連する発明の実施の形態のミシンの糸切り装置に用いられる可動メス３０ａの一部を示す斜視図である。
【図１０】糸分け案内部３２によってルーパ糸Ｔ１がルーパ糸捕捉部２６側に案内された状態を説明するための背面図である。
【図１１】本発明に関連する発明の実施の形態のミシンの糸切り装置に用いられる可動メス３０ｂの一部を示す斜視図である。
【図１２】可動メス３０ｂの糸分け案内部３２にルーパ糸Ｔ１が案内される動作を説明するための背面図である。
【図１３】従来技術のミシンの糸切り装置１を示す一部の斜視図である。
【符号の説明】
【００３６】
２０  糸切り装置
２１  針板
２２，２３  針落ち孔
２５  先端部
２６  ルーパ糸捕捉部
２７  針糸捕捉部
２８  ルーパ
３０，３０ａ，３０ｂ  可動メス
３１  固定メス
３２  糸分け案内部
３４  可動メス３０の先端部
Ｌ１  可動メス３０の中心軸線
Ｔ１  ルーパ糸
Ｔ２，Ｔ３  針糸
Ｔ１ａ；Ｔ２ａ，Ｔ２ｂ；Ｔ３ａ，Ｔ３ｂ  各張架部分
【図１】
0005557126.tif 000002
【図２】
0005557126.tif 000003
【図３】
0005557126.tif 000004
【図４】
0005557126.tif 000005
【図５】
0005557126.tif 000006
【図６】
0005557126.tif 000007
【図７】
0005557126.tif 000008
【図８】
0005557126.tif 000009
【図９】
0005557126.tif 000010
【図１０】
0005557126.tif 000011
【図１１】
0005557126.tif 000012
【図１２】
0005557126.tif 000013
【図１３】
0005557126.tif 000014